(57)【要約】【課題】ティッシュペーパーの引き出し用の摘み部分が外部から目視できないようした車両用のサンバイザーとティッシュペーパー収納部材を提供すること。【解決手段】サンバイザー本体１に、多数枚のティッシュペーパーが重ね合わせ状態にして、かつその摘み部分１０１が取り出し口２２を介して１枚づつ連続的に引き出されるように構成されたティッシュペーパー収納体２０が内装され、サンバイザー本体１におけるティッシュペーパー取り出し方向の外装端面６には、ティッシュペーパーの取り出し用切込み部７が設けられ、通常は、ティッシュペーパーの摘み部分１０１は、外装端面６により目隠し状態となっていて外部より目視しできないようになっている。【選択図】　　　図１
2004051079.tif 000002
【特許請求の範囲】
【請求項１】
車両用のサンバイザー本体に、多数枚のティッシュペーパーが重ね合わせ状態にして、かつその摘み部分が取り出し口を介して１枚づつ連続的に引き出されるように構成されたティッシュペーパー収納体が内装されるとともに、前記サンバイザー本体におけるティッシュペーパー取り出し方向の外装端面には、前記ティッシュペーパーの取り出し用切込み部が設けられ、
通常は、前記ティッシュペーパー収納体の取り出し口から引き出されているティッシュペーパーの摘み部分は、前記外装端面により目隠し状態となっていて外部より目視し得ず、
ティッシュペーパーを外部に取り出す場合には、前記外装端面の取り出し用切込み部を介して前記ティッシュペーパー収納体の取り出し口より引き出されている摘み部分を持ち、そのまま外部に引き出して使用されるように構成されたことを特徴とする車両用のサンバイザー。
【請求項２】
車両用のサンバイザー本体に、多数枚のティッシュペーパーが重ね合わせ状態にして、かつその摘み部分が取り出し口を介して１枚づつ連続的に引き出されるように構成されたティッシュペーパー収納体と、該収納体が挿入定置され、かつ前記収納体の取り出し口より引き出されているティッシュペーパーの摘み部分の引き出し方向に、ティッシュペーパーの取り出し用切込み部を有する目隠し部が突出して設けられたホルダー体から構成のティッシュペーパー収納部材が、その突出目隠し部を前記サンバイザー本体の外装端面に開口の開口部より突出させて内装され、
通常は、前記ティッシュペーパー収納体の取り出し口から引き出されているティッシュペーパーの摘み部分は、前記ホルダー体の突出目隠し部により目隠し状態となっていて外部より目視し得ず、
ティッシュペーパーを外部に取り出す場合には、前記突出目隠し部の取り出し用切込み部を介して前記ティッシュペーパー収納体の取り出し口より引き出されている摘み部分を持ち、そのまま外部に引き出して使用されるように構成されたことを特徴とする車両用のサンバイザー。
【請求項３】
車両用のサンバイザー本体に、多数枚のティッシュペーパーが重ね合わせ状態にして、かつその摘み部分が取り出し口を介して１枚づつ連続的に引き出されるように構成されたティッシュペーパー収納体と、該収納体が挿入定置され、かつ前記収納体の取り出し口より引き出されているティッシュペーパーの摘み部分の引き出し方向に、ティッシュペーパーの取り出し用切込み部を有する目隠し部が、前記収納体前面との間に間隔を有して設けられたホルダー体から構成のティッシュペーパー収納部材が、そのホルダー体の目隠し部を前記サンバイザー本体の外装端面に開口の開口部に対応させて内装され、
通常は、前記ティッシュペーパー収納体の取り出し口から引き出されているティッシュペーパーの摘み部分は、前記ホルダー体の目隠し部により目隠し状態となっていて外部より目視し得ず、
ティッシュペーパーを外部に取り出す場合には、前記開口部と前記目隠し部の取り出し用切込み部を介して前記ティッシュペーパー収納体の取り出し口より引き出されている摘み部分を持ち、そのまま外部に引き出して使用されるように構成されたことを特徴とする車両用のサンバイザー。
【請求項４】
多数枚のティッシュペーパーが重ね合わせ状態にして、かつその摘み部分が取り出し口を介して１枚づつ連続的に引き出されるように構成されたティッシュペーパー収納体と、
該収納体が挿入定置される空所部を有し、かつ前記収納体の取り出し口より引き出されているティッシュペーパーの摘み部分の引き出し方向に、ティッシュペーパーの取り出し用切込み部を有する目隠し部が設けられたホルダー主体の天井部下面に、前記収納体の取り出し口から引き出されたティッシュペーパーの摘み部分が誘導される間隔を保持するための一対の間隔保持リブが設けられたホルダー体と
を含み、
曲面部に装着されても、前記一対の間隔保持リブによって前記ティッシュペーパーの摘み部分の誘導空間が保持され、
通常は、前記ティッシュペーパー収納体の取り出し口から引き出されているティッシュペーパーの摘み部分は、前記ホルダー体の目隠し部により目隠し状態となっていて外部より目視し得ず、
ティッシュペーパーを外部に取り出す場合には、前記目隠し部の取り出し用切込み部を介して前記ティッシュペーパー収納体の取り出し口より引き出されている摘み部分を持ち、そのまま外部に引き出して使用されるように構成されたことを特徴とするティッシュペーパー収納部材。
【請求項５】
多数枚のティッシュペーパーが重ね合わせ状態にして、かつその摘み部分が取り出し口を介して１枚づつ連続的に引き出されるように構成されたティッシュペーパー収納体と、
該収納体が挿入定置され、かつ前記収納体の取り出し口より引き出されているティッシュペーパーの摘み部分の引き出し方向に、ティッシュペーパーの取り出し用切込み部を有する目隠し部が突出して設けられたホルダー体と
を含み、
通常は、前記ティッシュペーパー収納体の取り出し口から引き出されているティッシュペーパーの摘み部分は、前記ホルダー体の突出目隠し部により目隠し状態となっていて外部より目視し得ず、
ティッシュペーパーを外部に取り出す場合には、前記突出目隠し部の取り出し用切込み部を介して前記ティッシュペーパー収納体の取り出し口より引き出されている摘み部分を持ち、そのまま外部に引き出して使用されるように構成されたことを特徴とするティッシュペーパー収納部材。
【発明の詳細な説明】
【０００１】
【発明の属する技術分野】
本発明は、自動車等の車両に前面日除けとして装着されているサンバイザーとティッシュペーパーの収納部材に関し、更に詳しくは、サンバイザーは、ティッシュペーパーを１枚づつ外部に引き出して使用することができるティッシュペーパー収納部材が内装されているサンバイザーに関するものである。
【０００２】
【従来の技術】
サンバイザーにティッシュペーパーを収納して、ここからティッシュペーパーを１枚づつ取り出し使用するようにした技術として、例えば実開昭６０−５８４２６号公報、実開平３−６０４５０号公報に記載のものが知られている。
【０００３】
しかしながら、これらティッシュペーパーを収納したサンバイザーは、いずれもそのティッシュペーパーの引き出し用摘み部分が取り出し口より出ていて、外部より目視し得る状態となっており、雰囲気を損ない、又、美的感覚をも損ない外観体裁上において好ましいものではなかった。
【０００４】
【発明が解決しようとする課題】
本発明は、このような従来の技術が有する問題点に鑑みなされたもので、その目的とするところは、内装されているティッシュペーパーの引き出し用の摘み部分が外部から目視できないようした車両用のサンバイザーを提供することにある。
【０００５】
又、本発明の目的は、自動車のヘッドレストや座席シート、天井等の曲面に沿っての内装時、或いは面ファスナー等を用いての装着時においても偏平することなく、通常は、ティッシュペーパーの引き出し用摘み部分が内部に隠れていて、外部からは目視し得ず、使用時においては、ティッシュペーパーが１枚づつ良好に引き出されて使用に供されるティッシュペーパー収納部材を提供することにある。
【０００６】
【課題を解決するための手段】
これらの目的を達成するため、本発明の請求項１に記載の車両用のサンバイザーは、車両用のサンバイザー本体に、多数枚のティッシュペーパーが重ね合わせ状態にして、かつその摘み部分が取り出し口を介して１枚づつ連続的に引き出されるように構成されたティッシュペーパー収納体が内装されるとともに、前記サンバイザー本体におけるティッシュペーパー取り出し方向の外装端面には、前記ティッシュペーパーの取り出し用切込み部が設けられ、通常は、前記ティッシュペーパー収納体の取り出し口から引き出されているティッシュペーパーの摘み部分は、前記外装端面により目隠し状態となっていて外部より目視し得ず、ティッシュペーパーを外部に取り出す場合には、前記外装端面の取り出し用切込み部を介して前記ティッシュペーパー収納体の取り出し口より引き出されている摘み部分を持ち、そのまま外部に引き出して使用されるように構成されたことを特徴とするものである。
【０００７】
本発明の請求項２に記載の車両用のサンバイザーは、車両用のサンバイザー本体に、多数枚のティッシュペーパーが重ね合わせ状態にして、かつその摘み部分が取り出し口を介して１枚づつ連続的に引き出されるように構成されたティッシュペーパー収納体と、該収納体が挿入定置され、かつ前記収納体の取り出し口より引き出されているティッシュペーパーの摘み部分の引き出し方向に、ティッシュペーパーの取り出し用切込み部を有する目隠し部が突出して設けられたホルダー体から構成のティッシュペーパー収納部材が、その突出目隠し部を前記サンバイザー本体の外装端面に開口の開口部より突出させて内装され、通常は、前記ティッシュペーパー収納体の取り出し口から引き出されているティッシュペーパーの摘み部分は、前記ホルダー体の突出目隠し部により目隠し状態となっていて外部より目視し得ず、ティッシュペーパーを外部に取り出す場合には、前記突出目隠し部の取り出し用切込み部を介して前記ティッシュペーパー収納体の取り出し口より引き出されている摘み部分を持ち、そのまま外部に引き出して使用されるように構成されたことを特徴とするものである。
【０００８】
本発明の請求項３に記載の車両用のサンバイザーは、車両用のサンバイザー本体に、多数枚のティッシュペーパーが重ね合わせ状態にして、かつその摘み部分が取り出し口を介して１枚づつ連続的に引き出されるように構成されたティッシュペーパー収納体と、該収納体が挿入定置され、かつ前記収納体の取り出し口より引き出されているティッシュペーパーの摘み部分の引き出し方向に、ティッシュペーパーの取り出し用切込み部を有する目隠し部が、前記収納体前面との間に間隔を有して設けられたホルダー体から構成のティッシュペーパー収納部材が、そのホルダー体の目隠し部を前記サンバイザー本体の外装端面に開口の開口部に対応させて内装され、通常は、前記ティッシュペーパー収納体の取り出し口から引き出されているティッシュペーパーの摘み部分は、前記ホルダー体の目隠し部により目隠し状態となっていて外部より目視し得ず、ティッシュペーパーを外部に取り出す場合には、前記開口部と前記目隠し部の取り出し用切込み部を介して前記ティッシュペーパー収納体の取り出し口より引き出されている摘み部分を持ち、そのまま外部に引き出して使用されるように構成されたことを特徴とするものである。
【０００９】
本発明の請求項４に記載のティッシュペーパー収納部材は、多数枚のティッシュペーパーが重ね合わせ状態にして、かつその摘み部分が取り出し口を介して１枚づつ連続的に引き出されるように構成されたティッシュペーパー収納体と、該収納体が挿入定置される空所部を有し、かつ前記収納体の取り出し口より引き出されているティッシュペーパーの摘み部分の引き出し方向に、ティッシュペーパーの取り出し用切込み部を有する目隠し部が設けられたホルダー主体の天井部下面に、前記収納体の取り出し口から引き出されたティッシュペーパーの摘み部分が誘導される間隔を保持するための一対の間隔保持リブが設けられたホルダー体とを含み、曲面部に装着されても、前記一対の間隔保持リブによって前記ティッシュペーパーの摘み部分の誘導空間が保持され、通常は、前記ティッシュペーパー収納体の取り出し口から引き出されているティッシュペーパーの摘み部分は、前記ホルダー体の目隠し部により目隠し状態となっていて外部より目視し得ず、ティッシュペーパーを外部に取り出す場合には、前記目隠し部の取り出し用切込み部を介して前記ティッシュペーパー収納体の取り出し口より引き出されている摘み部分を持ち、そのまま外部に引き出して使用されるように構成されたことを特徴とするものである。
【００１０】
本発明の請求項５に記載のティッシュペーパー収納部材は、多数枚のティッシュペーパーが重ね合わせ状態にして、かつその摘み部分が取り出し口を介して１枚づつ連続的に引き出されるように構成されたティッシュペーパー収納体と、該収納体が挿入定置され、かつ前記収納体の取り出し口より引き出されているティッシュペーパーの摘み部分の引き出し方向に、ティッシュペーパーの取り出し用切込み部を有する目隠し部が突出して設けられたホルダー体とを含み、通常は、前記ティッシュペーパー収納体の取り出し口から引き出されているティッシュペーパーの摘み部分は、前記ホルダー体の突出目隠し部により目隠し状態となっていて外部より目視し得ず、ティッシュペーパーを外部に取り出す場合には、前記突出目隠し部の取り出し用切込み部を介して前記ティッシュペーパー収納体の取り出し口より引き出されている摘み部分を持ち、そのまま外部に引き出して使用されるように構成されたことを特徴とするものである。
【００１１】
【発明の実施の形態】
本発明の実施の形態について、その作用と共に説明する。
【００１２】
本発明に係る車両用のサンバイザーは、サンバイザー本体にティッシュペーパー収納体が内装され、通常は、ティッシュペーパーの引き出し用の摘み部分がサンバイザー本体内に隠れていて、外部からは目視し得ず、使用時においては、内部のティッシュペーパーの摘み部分をもって外部に引き出して使用するものである。
【００１３】
又、本発明に係るティッシュペーパー収納部材は、多数枚のティッシュペーパーが重ね合わせ状態にして、かつその摘み部分が取り出し口を介して１枚づつ連続的に引き出されるように構成され、通常は、ティッシュペーパーの引き出し用の摘み部分が目隠しされていて外部から目視し得ず、使用時においては、目隠しされているティッシュペーパーの摘み部分をもって外部に引き出して使用するものである。
【００１４】
以下、具体的な実施例について図面を参照して説明する。
【００１５】
図１は、本発明に係る車両用のサンバイザーの第１実施例での斜視図、図２は、図１の２−２線に沿った一部省略の拡大断面図で、これら図において、本車両用のサンバイザーは、サンバイザー本体にティッシュペーパー収納体が内装され、通常は、ティッシュペーパーの引き出し用の摘み部分がサンバイザー本体内に隠れていて、外部からは目視し得ず、使用時においては、内部のティッシュペーパーの摘み部分をもって外部に引き出して使用し得る構成となっている。。
【００１６】
更に説明すると、サンバイザーは、所定の厚さを有する平面視略矩形状の板状体であって、意匠の施された外装部材により覆われており、該サンバイザーは、公知の全てのものを含むものである。
【００１７】
サンバイザーのサンバイザー本体１には、ティッシュペーパー収納体２０が収納される空所部２が設けられ、該空所部２内には、ティッシュペーパー収納体２０が係止突部３により固定的に収納され、該ティッシュペーパー収納体２０は、サンバイザー本体１の一端縁に取り付けの開閉カバー４により、かつ周囲のベルベットテープ５を介して押えられて、空所部２は閉塞される。
【００１８】
開閉カバー４とサンバイザー本体１とは同じ意匠が施されていて、外観上において一体感を有し、違和感を生じさせないようになっている。
【００１９】
サンバイザー本体１におけるティッシュペーパー１００の取り出し方向の外装端面６には、ティッシュペーパー１００の取り出し用切込み部７が設けられている。
【００２０】
切込み部７は、図１に例示されているような１本の線状である他、十文字状であってもよく、いずれにしろ、外部から見てサンバイザー本体内部のティッシュペーパー１００の引き出されている摘み部分１０１が目視不可であって、穴としては見られない外観体裁を有していればよい。
【００２１】
サンバイザー本体１の空所部２には、上記のようにティッシュペーパー収納体２０が、係止突部３により係止され、かつ切込み部７の内側との間に空間部８を有して固定的に定置される。
【００２２】
ティッシュペーパー収納体２０は、箱状等の収納本体２１内に、多数枚のティッシュペーパー１００が重ね合わせ状態にして、かつその摘み部分１０１が取り出し口２２を介して１枚づつ連続的に引き出されるように構成されている。
【００２３】
以上の構成において、ティッシュペーパー収納体２０が空所部２に収納され、ティッシュペーパー１００の摘み部分１０１が空間部８まで引き出される。次いで、開閉カバー４が閉じられ、かつベルベットテープ５により係止されて空所部２が閉塞される。
【００２４】
この状態において、通常は、ティッシュペーパー１００の摘み部分１０１はサンバイザー本体１の外装端面６により目隠し状態となっていて外部より目視できない。
【００２５】
使用時においては、外装端面６の切込み部７から指で摘み部分１０１を持ち、そのまま外部に引き出して使用される。
【００２６】
図３及び図４は、本発明に係る車両用のサンバイザーの第２実施例を示したもので、図３は、開閉カバーを取り除いた状態での部分的平面図、図４は、図３の４−４線に沿った一部省略の拡大断面図である。
【００２７】
これら図において、本車両用のサンバイザーは、サンバイザー本体１に、ティッシュペーパー収納体と、該収納体が挿入定置され、かつ前記収納体の取り出し口より引き出されているティッシュペーパーの摘み部分の引き出し方向に、ティッシュペーパーの取り出し用切込み部を有する目隠し部が突出して設けられたホルダー体から構成のティッシュペーパー収納部材が、その突出目隠し部を前記サンバイザー本体の外装端面に開口の開口部より突出させて内装され、通常は、前記ティッシュペーパー収納体の取り出し口から引き出されているティッシュペーパーの摘み部分は、前記ホルダー体の突出目隠し部により目隠し状態となっていて外部より目視し得ず、ティッシュペーパーを外部に取り出す場合には、前記突出目隠し部の取り出し用切込み部を介して前記ティッシュペーパー収納体の取り出し口より引き出されている摘み部分を持ち、そのまま外部に引き出して使用されるように構成されている。
【００２８】
更に説明すると、サンバイザー本体１には、ティッシュペーパー収納部材３０が収納される空所部９が設けられ、該空所部９内には、ティッシュペーパー収納部材３０が固定的に収納され、該ティッシュペーパー収納部材３０は、サンバイザー本体１の一端縁に取り付けの開閉カバー４により、かつ周囲のベルベットテープ５を介して押えられて、空所部９は閉塞される。
【００２９】
なお、開閉カバー４とサンバイザー本体１とは同じ意匠が施されていて、外観上において一体感を有し、違和感を生じさせないようになっていることは第１実施例の場合と同様である。
【００３０】
ティッシュペーパー収納部材３０は、ティッシュペーパー収納体２０とホルダー体２３から構成されている。
【００３１】
ティッシュペーパー収納体２０は、前記と同様に箱状等の収納本体２１内に多数枚のティッシュペーパー１００が重ね合わせ状態にして、かつその摘み部分１０１が取り出し口２２を介して１枚づつ連続的に引き出されるように構成されている。
【００３２】
ホルダー体２３は、図４に示されているように、一側面に開口部２４を有し、かつ内部前方（開口部２４との対向方向）にはティッシュペーパー収納体２０が係止されて位置決めされる係止突部２５が設けられた箱状等の主体部２５と、該主体部２５と一体にして、かつ開口部２４と対向する端面の中央部位に所定の横幅で突設された目隠し部２６とを含み、目隠し部２６の長手方向中央部位にはティッシュペーパー１００摘み部分１０１を取り出すための切込み部２７が設けられている。
【００３３】
なお、ホルダー体２３は、その全体が、サンバイザー本体１と一体化されるように、同じ意匠であることが好ましい。
【００３４】
又、切込み部２７は、切込み部７と同様に、１本の線状である他、十文字状であってもよく、いずれにしろ、外部から見てサンバイザー本体内部のティッシュペーパー１００の引き出されている摘み部分１０１が目視不可であって、穴としては見られない外観体裁を有していればよい。
【００３５】
そして、ティッシュペーパー収納体２０は開口部２４よりホルダー体２３内に、その前端が係止突部２５に当接するまで挿入される。
【００３６】
この時、取り出し口２２から引き出されたティッシュペーパー１００の摘み部分１０１は、ホルダー体２３との空隙を通って目隠し部２６内に位置している。
【００３７】
次いで、ティッシュペーパー収納体２０の入ったホルダー体２３は、その突出している目隠し部２６が、サンバイザー本体１の外装端面６に明けられた開口部２８を介して外側に突出せられた状態で空所部９に収納され、次いで、開閉カバー４が閉じられ、かつベルベットテープ５により係止されて空所部９が閉塞される。
【００３８】
この状態において、通常は、ティッシュペーパー１００の摘み部分１０１は突出しているホルダー体２３の目隠し部２６により目隠し状態となっていて外部より目視できない。
【００３９】
使用時においては、目隠し部２６の切込み部２７から指で摘み部分１０１を持ち、そのまま外部に引き出して使用される。
【００４０】
本実施例によれば、サンバイザー本体１の切込み部７に指を入れてティッシュペーパー１００を引き出すのではないから、サンバイザー本体１の外装端面６を汚すということはない。又、ティッシュペーパー１００の取り出し部が外側に突出しているため、目視し安く、使用上において至便である。
【００４１】
図５及び図６は、本発明に係る車両用のサンバイザーの第３実施例を示したもので、図５は、一部省略の正面図、図６は、開閉カバーを取り除いた状態での横断面図である。
【００４２】
これら図において、本車両用のサンバイザーは、サンバイザー本体１にティッシュペーパー収納部材４０が、そのホルダー体の目隠しカバー部材をサンバイザー本体１の外装端面６に開口の開口部２８に対応させて内装され、通常は、前記ティッシュペーパー収納部材４０から引き出されているティッシュペーパー１００の摘み部分１０１は、ホルダー体の目隠しカバー部材により目隠し状態となっていて外部より目視し得ず、ティッシュペーパー１００を外部に取り出す場合には、開口部２８を介してティッシュペーパー収納部材４０から引き出されている摘み部分１０１を持ち、そのまま外部に引き出して使用されるように構成されている。
【００４３】
更に説明すると、サンバイザー本体１には、ティッシュペーパー収納部材４０が収納される空所部１０が設けられ、該空所部１０内には、ティッシュペーパー収納部材４０が固定的に収納され、該ティッシュペーパー収納部材４０は、サンバイザー本体１の一端縁に取り付けの開閉カバー４により、かつ周囲のベルベットテープ５を介して押えられて、空所部１０は閉塞される。
【００４４】
なお、開閉カバー４とサンバイザー本体１とは同じ意匠が施されていて、外観上において一体感を有し、違和感を生じさせないようになっていることは第１実施例の場合と同様である。
【００４５】
ティッシュペーパー収納部材４０は、ティッシュペーパー収納体２０とホルダー体３１から構成されている。
【００４６】
ティッシュペーパー収納体２０は、前記と同様に箱状等の収納本体２１内に多数枚のティッシュペーパー１００が重ね合わせ状態にして、かつその摘み部分１０１が取り出し口２２を介して１枚づつ連続的に引き出されるように構成されている。
【００４７】
ホルダー体３１は、ティッシュペーパー収納体２０が嵌め込まれる開口部を有するホルダー主体３２と、ティッシュペーパー収納体２０の取り出し口２２から引き出されたティッシュペーパー１００の取り出し方向との間に空間部３３を有して、他方側の開口部を閉塞する如くにホルダー主体３２の外周に被覆され、かつサンバイザー本体１の開口部２８との対応部にティッシュペーパー１００の摘み部分１０１の引き出し用切込み部３４を有する目隠しカバー部材３５とを含んでいる。
【００４８】
なお、目隠しカバー部材３５とサンバイザー本体１とは同じ意匠を施して一体化させることが好ましい。
【００４９】
本実施例によれば、前記第２実施例と同様に、サンバイザー本体１の切込み部７に指を入れてティッシュペーパー１００を引き出すのではなく、ティッシュペーパー収納部材４０における目隠しカバー部材３５の切込み部３４から引き出すので、サンバイザー本体１の外装端面６を汚すということはない。
【００５０】
図７及び図８は、本発明に係るティッシュペーパー収納部材の実施例を示したもので、図７は、平面図、図８は、図７の７−７線に沿った拡大断面図である。
【００５１】
これら図において、本ティッシュペーパー収納部材は、ティッシュペーパー収納体２０とホルダー体５０を含んでいる。
【００５２】
ティッシュペーパー収納体２０は、箱状等の収納本体２１内に多数枚のティッシュペーパー１００が重ね合わせ状態にして、かつその摘み部分１０１が取り出し口２２を介して１枚づつ連続的に引き出されるように構成されている。
【００５３】
ホルダー体５０は、その開口部よりティッシュペーパー収納体２０が挿入される空所部５１と位置決めのための係止突部５２を有し、かつ内装のティッシュペーパー収納体２０の取り出し口２２より引き出されているティッシュペーパー１００の摘み部分１０１の引き出し方向に、ティッシュペーパー１００の取り出し用切込み部５３を有する目隠し部５４が設けられたホルダー主体５５の天井部下面に、取り出し口２２から引き出されたティッシュペーパー１００の摘み部分１０１が誘導される空間部５６を保持するための一対の間隔保持リブ５７が設けられて構成されている。
【００５４】
そして、ティッシュペーパー収納体２０は開口部よりホルダー主体５５の空所部５１内に、その前端が係止突部５２に当接するまで挿入される。
【００５５】
この時、取り出し口２２から引き出されたティッシュペーパー１００の摘み部分１０１は、空間部５６を通って目隠し部５４とティッシュペーパー収納体２０との間の空間部５８内に位置している。
【００５６】
以上の構成において、通常は、ティッシュペーパー収納体２０の取り出し口２２から引き出されているティッシュペーパー１００の摘み部分１０１は、ホルダー体５０の目隠し部５４により目隠し状態となっていて外部より目視し得ず、ティッシュペーパー１００を外部に取り出す場合には、目隠し部５４の取り出し用切込み部５３を介してティッシュペーパー収納体２０の取り出し口２２より引き出されている摘み部分１０１を持ち、そのまま外部に引き出して使用される。
【００５７】
本ティッシュペーパー収納部材によれば、ヘッドレストや座席シート、天井等の曲面部に沿って装着されても、変形することなく、一対の間隔保持リブ５７によってティッシュペーパー１００の摘み部分１０１の誘導空間部５６が保持され、ティッシュペーパー１００はスムーズに引き出される。
【００５８】
なお、本発明は上記各実施例に限定されず、種々の変形が可能である。例えば、ティッシュペーパーの取り出し方向を変更してもよく、又、第２実施例において、ティッシュペーパー収納部材は壁面やパソコン用机等に内装して使用したり、机の側面等に面ファスナー等により取り付けて使用してもよい。又、サンバイザー本体の空所部に対するティッシュペーパー収納部材の収納は、両面接着テープ等の粘着手段によって行ってもよい。
【００５９】
更に、車両用のサンバイザーにおける上記各実施例においては、開閉カバーを開くことによりティッシュペーパーを補充するように構成されているが、サンバイザー本体の後端面（ティッシュペーパー引き出し方向との対向端面）にチャック部や面ファスナー部を形成して、これらの開閉により空所部内にティッシュペーパー収納体（ティッシュペーパー収納部材を含む）を収納するように構成してもよい。
【００６０】
又、ティッシュペーパー収納部材の実施例において、一対の間隔保持リブはホルダー主体の天井部下面に設けられているが、これに限定されず、天井部の下面に代えてティッシュペーパー収納体の上面に一対の間隔保持リブを突設するようにしてもよい。
【００６１】
【発明の効果】
しかして、本発明によれば、通常状態においては、ティッシュペーパー収納体、或いはティッシュペーパー収納部材から引き出されているティッシュペーパーの摘み部分はサンバイザー本体内にあって、外部より目視不可の状態となっているから、スッキリとして車内の美感を損なうことがなく、又、使用に際しては、目線を移すこともなく手をのばして指先だけで簡単にティッシュペーパーを取り出して使用することができ、安全運転にも寄与し得るものである。
【００６２】
又、請求項２及び３に記載の発明によれば、サンバイザー本体の切込み部に指を入れてティッシュペーパーを引き出すのではなく、ティッシュペーパー収納部材における目隠し部の切込み部から引き出すので、サンバイザー本体の外装端面を汚すということはない。
【００６３】
又、請求項４に記載の発明によれば、ヘッドレストや座席シート、天井等の曲面部に沿って装着されても、変形することなく、一対の間隔保持リブによってティッシュペーパーの摘み部分の誘導空間部が保持されるので、ティッシュペーパーをはスムーズに引き出すことができる。
【００６４】
又、請求項５に記載の発明によれば、ティッシュペーパーの取り出し部が外側に突出しているので、壁面やパソコン用の机等に内装して使用する場合において、ティッシュペーパー取り出し口が一見してわかり、使用上において至便である。
【図面の簡単な説明】
【図１】本発明に係る車両用のサンバイザーの第１実施例での斜視図である。
【図２】図１の２−２線に沿った一部省略の拡大断面図である。
【図３】本発明に係る車両用のサンバイザーの第２実施例を示したもので、開閉カバーを取り除いた状態での部分的平面図である。
【図４】図３の４−４線に沿った一部省略の拡大断面図である。
【図５】本発明に係る車両用のサンバイザーの第３実施例を示した一部省略の正面図である。
【図６】本発明に係る車両用のサンバイザーの第３実施例を示した開閉カバーを取り除いた状態での横断面図である。
【図７】本発明に係るティッシュペーパー収納部材の実施例を示した平面図である。
【図８】図７の７−７線に沿った拡大断面図である。
【符号の説明】
１　　サンバイザー本体
２、９、１０　　空所部
４　　開閉カバー
６　　外装端面
７、２７、３４、５３　　切込み部
２０　　ティッシュペーパー収納体
２１　　収納本体
２２　　取り出し口
２３、３１、５０　　ホルダー体
２６、５４　　目隠し部
２８　　開口部
３０、４０　　ティッシュペーパー収納部材
３５　　目隠しカバー部材
５５　　ホルダー主体
５７　　一対の間隔保持リブ
１００　　ティッシュペーパー
１０１　　ティッシュペーパーの摘み部分
【図１】
2004051079.tif 000003
【図２】
2004051079.tif 000004
【図３】
2004051079.tif 000005
【図４】
2004051079.tif 000006
【図５】
2004051079.tif 000007
【図６】
2004051079.tif 000008
【図７】
2004051079.tif 000009
【図８】
2004051079.tif 000010